(57)【要約】【課題】複数の供給者が同時に参加して透明性のある取引価格の形成を行うことのできる売買仲介システムを提供する。【解決手段】予備品の購入を希望する需要者側に配置した需要者端末３および余剰品の販売を希望する供給者側に配置した供給者端末２と接続する仲介サーバ１を備え、前記仲介サーバ１は、需用者端末３からの問い合わせ入力により指定された購入を希望する予備品またはその互換品の型式を受信する需用者インタフェースと、前記購入を希望する予備品またはその互換品の型式およびこれらの部品に対する見積もり要求を前記供給者端末２に送信し、前記見積もり要求に対する回答を受信する供給者インタフェースと、検索手段を備え、受信した前記回答の中から最も安価な順に前記予備品またはその互換品を選択して前記需用者端末３に送信する。【選択図】図１
2008181398.tif 000002
【特許請求の範囲】
【請求項１】
予備品の購入を希望する需要者側に配置した需要者端末および余剰品の販売を希望する供給者側に配置した供給者端末と接続する仲介サーバを備え、
需用者端末から購入を希望する予備品またはその互換品の型式を受信し、受信した購入を希望する予備品またはその互換品の型式およびこれらの部品に対する見積もり要求を前記供給者端末に送信し、前記見積もり要求に対する回答を受信し、受信した前記回答の中から最も安価な順に前記不足部品またはその互換品を選択して前記需用者端末に送信する予備品の売買仲介システムであって、
前記仲介サーバは、需用者端末からの問い合わせ入力により指定された購入を希望する予備品またはその互換品の型式を受信する需用者インタフェースと、前記購入を希望する予備品またはその互換品の型式およびこれらの部品に対する見積もり要求を前記供給者端末に送信し、前記見積もり要求に対する回答を受信する供給者インタフェースと、検索手段を備え、受信した前記回答の中から最も安価な順に前記予備品またはその互換品を選択して前記需用者端末に送信することを特徴とする予備品の売買仲介システム。
【請求項２】
請求項１記載の予備品の売買仲介システムにおいて、
前記仲介サーバは、予備品、互換部品、互換部品の改造の要否、および改造説明書を特定する情報を格納した交換部品データベースを備えたことを特徴とする予備品の売買仲介システム。
【請求項３】
請求項１記載の予備品の売買仲介システムにおいて、
前記仲介サーバは、予備品の取り引き履歴を格納した取引価格データベースを備えたことを特徴とする予備品の売買仲介システム。
【発明の詳細な説明】
【技術分野】
【０００１】
本発明は、予備品の売買仲介システムに係り、特に、部品故障時における交換等に供される予備品の売買仲介システムに関する。
【背景技術】
【０００２】
産業用、あるいは事業用などの各種の装置あるいは設備においては、長期の安定的な運用が求められる。このため、保守点検において必要となる予備品（消耗品等を含む）を確保しておくことは重要である。一般に装置あるいは設備の所有者あるいは管理者は、安全性の確保、稼働率の向上などを考慮し、かつ保守点検に割り当てられた費用予算額の範囲で、どのような予備品が必要であるかを判断して、これらを調達し保管している。
【０００３】
ところで、装置あるいは設備の運用計画から必要量を予め計画できる消耗品、定期交換部品と異なり、部品故障時の交換を想定して確保する予備品の場合、実際にどの型式の予備品が、どれだけの数量必要となるかを事前に予測することは困難である。特に、個々の事業者単位の予備品の選定・確保に際しては、手配したものの実使用員数が少なく余剰となることや、逆に手配員数に比して実使用量が多く追加手配が必要となる場合が発生することも多い。
【０００４】
そこで、余剰品を持つ事業者が、設備保全用予備品取引システムに余剰となっている部品の型式を事前に登録し、部品が不足した事業者が設備保全用予備品取引システムに型式を指定して問合せると、同一型式の余剰品を保有している事業者を紹介するシステムが特許文献１において提示されている。
【特許文献１】特開２００２−７３８３２号公報
【発明の開示】
【発明が解決しようとする課題】
【０００５】
従来の技術においては、余剰な予備品の登録手段と登録された予備品の検索手段が提供された後の、不足する前記予備品の購入を欲する事業者（需要者）と余剰な前記予備品の売却を欲する事業者（供給者）間における取引価格の合意形成の手法については、定義されていない。このため、売買価格の取決めは供給者と需要者間の直接交渉に委ねられることとなる。
【０００６】
この場合、供給者の売却希望価格と、需要者の購入希望価格の間の調整が必要となるが、どのような価格が妥当であるかを判断するための情報が提供されないと、円滑に価格を取り決めることは困難となる。また、同一型式の部品を複数の供給者が所有している場合、従来の方法では、各々の供給者に対し、その売却希望価格を個別に確認する必要があり、多大な労力を要する。
【０００７】
予備品の取引における特徴として、設備あるいは装置の運用が長期に渡る場合には、本来の部品と同一型式であるべき予備品が生産中止等になる場合がある。生産中止後は部品製造者からの供給がなくなり、部品の流通数が少なくなり取引が困難になる。
【０００８】
本発明はこれらの問題点に鑑みてなされたもので、予備品の取引における価格決定を供給者と需要者間の直接交渉ではなく、複数の供給者が同時に参加して透明性のある取引価格の形成を行うことのできる売買仲介システムを提供することにある。
【課題を解決するための手段】
【０００９】
本発明は上記課題を解決するため、次のような手段を採用した。
【００１０】
予備品の購入を希望する需要者側に配置した需要者端末および余剰品の販売を希望する供給者側に配置した供給者端末と接続する仲介サーバを備え、需用者端末から購入を希望する予備品またはその互換品の型式を受信し、受信した購入を希望する予備品またはその互換品の型式およびこれらの部品に対する見積もり要求を前記供給者端末に送信し、前記見積もり要求に対する回答を受信し、受信した前記回答の中から最も安価な順に前記不足部品またはその互換品を選択して前記需用者端末に送信する予備品の売買仲介システムであって、前記仲介サーバは、需用者端末からの問い合わせ入力により指定された購入を希望する予備品またはその互換品の型式を受信する需用者インタフェースと、前記購入を希望する予備品またはその互換品の型式およびこれらの部品に対する見積もり要求を前記供給者端末に送信し、前記見積もり要求に対する回答を受信する供給者インタフェースと、検索手段を備え、受信した前記回答の中から最も安価な順に前記予備品またはその互換品を選択して前記需用者端末に送信する。
【発明の効果】
【００１１】
本発明は、以上の構成を備えるため、複数の供給者が同時に参加して透明性のある取引価格の形成を行うことのできる売買仲介システムを提供することができる。
【発明を実施するための最良の形態】
【００１２】
以下、最良の実施形態を添付図面を参照しながら説明する。図１は、本実施形態にかかる予備品の売買仲介システムを説明する図である。図１において、１は仲介者のサーバ（以下「仲介サーバ」と記す）、２は余剰となった予備品を有し、該部品の売却を希望する供給者の端末（以下「供給者端末」と記す）、３は不足している予備品の購入を希望する需要者の端末（以下「需要者端末」と記す）、４はこれらを相互に接続するネットワークである。なお、同一の事業者が、ある不足した予備品については需要者となり、別の余剰の予備品については供給者となることがある。
【００１３】
図２は、仲介サーバ１の内部構成を説明する図である。仲介サーバ１は、検索抽出プログラム部１１、データベース部１２および取引処理部１３を備える。
【００１４】
仲介サーバ１内の検索抽出プログラム部１１は、部品仕様検索手段１１１、互換品検索手段１１２、余剰品検索手段１１３、取引価格履歴検索手段１１４を備える。
【００１５】
仲介サーバ１内のデータベース部１２は、事業者名データベース１２１、製造者名データベース１２２、部品名データベース１２３、互換品データベース１２４、余剰品データベース１２５、取引価格データベース１２６を備える。
【００１６】
仲介サーバ１内の取引処理部１３は、仲介サーバ１内の各データベースに対して情報登録を行う情報登録部１３１、需要者インタフェース部１３２、供給者インタフェース部１３３、取引価格決定部１３４、および成立した取引の記録管理する記録管理部１３５を備える。
【００１７】
図３は、仲介サーバ１内のデータベース部１２を構成する各データベースのデータ形式を示す図である。
【００１８】
図３において、事業者名データベース１２１は、需要者および供給者双方の事業者名を登録したデータベースであり、各事業者に割り振られた事業者一連番号である属性「事業者ＩＤ」４０１、および各事業者の通称あるいは正式名称である属性「事業者名」４０２を含む。
【００１９】
製造者データベース１２２は、各部品の製造者についてのデータベースであり、各製造者に割り振られた一連番号である属性「製造者ＩＤ」４０３、および各製造者の通称あるいは正式名称である属性「製造者名」４０４を含む。
【００２０】
部品名データベース１２３は、各部品についてのデータベースであり、各部品に割り振られた部品一連番号である属性「部品ＩＤ」４０５、部品型式である属性「部品型式」４０６、前記の「製造者ＩＤ」４０３、および部品の技術仕様を記載した部品技術仕様書の一連番号である属性「仕様書ＩＤ」４０７を含む。
【００２１】
互換品データベース１２４は、各部品と互換性のある部品についてのデータベースであり、各部品の前記「部品ＩＤ」４０５と、該部品と互換性のある別型式の部品の属性である「部品ＩＤ」４０８、互換性のある別型式の部品を使用する際の改造作業の有無を示す属性「改造要否」４０９、改造が必要な場合の改造手順を記載した改造説明書の一連番号である属性「改造説明書ＩＤ」４１０を含む。
【００２２】
余剰品データベース１２５は、供給者が保有している各余剰品についてのデータベースであり、各供給者の保有する各余剰品に割り振られた一連番号である属性「余剰品ＩＤ」４１１、該部品の属性である「部品ＩＤ」４０５、部品の保有員数の属性である「部品員数」４１２、および供給者の属性である「事業者ＩＤ」４０１が含まれる。
【００２３】
取引価格データベース１２６は、各部品の過去の取引履歴についてのデータベースであり、各部品の属性である「部品ＩＤ」４０５、製造者の製造者希望小売価格の属性である「製造者単価」４１３、過去の取引における最高値の属性である「最高取引単価」４１４、同じく過去の取引における最安値の属性である「最安取引単価」４１５、最新の取引における属性である「前回取引単価」４１６を含む。なお、データベースの容量に余裕がある場合には、過去の取引の日付および取引単価の時系列をデータベースに格納しても良い。
【００２４】
次に、仲介サーバ１内の検索抽出プログラム部１１について説明する。部品仕様検索手段１１１は、「部品ＩＤ」４０５をもとに、部品名データベース１２３を検索して、問合せのあった部品（「部品ＩＤ」４０５を有する部品）を検索抽出するプログラムである。  また、互換品検索手段１１２は、「部品ＩＤ」４０５をもとに、互換品データベース１２４を検索して、問合せのあった部品と互換性のある部品の情報を検索抽出するプログラムである。
【００２５】
余剰品検索手段１１３は、「部品ＩＤ」４０５をもとに、余剰品データベース１２５、部品名データベース１２３、事業者名データベース１２１を検索して、問合せのあった部品、あるいはその互換部品を保有している事業者、および保有する部品の員数の情報を検索抽出するプログラムである。
【００２６】
取引価格履歴検索手段１１４は、「部品ＩＤ」４０５をもとに取引価格データベース１２６、および部品データベース１２３を検索して、問合せのあった部品の過去の取引における取引単価の情報を検索抽出するプログラムである。
【００２７】
図４は、本実施形態にかかる売買仲介システムの処理を説明する図である。まず、需要者は需要者端末３に必要とする予備品の部品型式を入力する。この入力情報は、ネットワーク４を通じて、仲介サーバ１の需要者インタフェース部１３２に伝達される（ステップＳｌ）。
【００２８】
需要者インタフェース部１３２を介して前記予備品の部品型式を受け取った部品仕様検索手段１１１は、問合せの部品の部品型式４０６をもとに部品名データベース１２３を検索して部品ＩＤ４０５を抽出する（ステップＳ２）。
【００２９】
互換品検索手段１１２は、前記問合せの部品の部品ＩＤ４０５に基づいて互換品データベース１２４を検索して互換部品ＩＤ４０８、改造要否４０９、改造説明書ＩＤ４１０を抽出する（ステップＳ３）。ひとつの部品に対し複数の互換部品が関連付けられて登録されている場合には、複数の部品ＩＤが抽出される。
【００３０】
次に、部品仕様検索手段１１１は、問合せの部品およびその互換部品の部品ＩＤ４０５をもとに、部品名データベース１２３および製造者名データベース１２２を検索して製造者名４０４、部品型式４０６、仕様書ＩＤ４０７を抽出する（ステップＳ４）。部品仕様については仕様書ＩＤ４０７のみの抽出ではなく、実際の部品仕様書の電子データをサーバ内に登録して抽出しても良い。
【００３１】
次に、余剰品検索手段１１３は、問合せの部品およびその互換部品の部品ＩＤ４０５をもとに、余剰品データベース１２５を検索して、これらの部品に該当する余剰品の員数４１２を抽出し型式毎に合算する（ステップＳ５）。
【００３２】
次に、取引価格履歴検索手段１１４は、問合せの部品およびその互換部品の部品ＩＤ４０５をもとに取引価格データベース１２６を検索して、これらの部品の製造者単価４１３、最高取引単価４１４、最安取引単価４１５、前回取引単価４１６を抽出する（ステップＳ６）。前記データベース１２６内に登録されているならば、過去の取引の日付および取引単価の時系列について抽出しても良い。
【００３３】
次に、仲介サーバ１の需要者インタフェース部１３２は、需要者端末３に対し、ネットワーク４を通じて、問合せ品および互換部品の製造者名４０４、部品ＩＤ４０５、部品型式４０６、仕様書ＩＤ４０７、改造要否４０９、改造説明書ＩＤ４１０、員数４１２、製造者単価４１３、最高取引単価４１４、最安取引単価４１５、前回取引単価４１６を含む回答情報を送信する（ステップＳ７）。
【００３４】
仲介サーバ１より回答情報を受信した需要者端末３は、回答情報を需要者に対し提示する。ユーザへの提供情報には、各部品の余剰員数、価格、改造の要否などが含まれており、ユーザが適切な判断を下すことの助けとなる。
【００３５】
次に、需要者は、見積入手を希望するならば、需要者端末３に対し見積条件を入力する。条件としては、部品ＩＤ、購入員数、購入単価の上限、部品受取までの要求納期、そして見積回答入手期限等が含まれる。部品ＩＤについては、問合せの予備品の型式に限定した見積を希望するならば問合せ品の部品ＩＤを、互換部品を含めた見積を希望するならば問合せ部品の部品ＩＤおよび互換部品の部品ＩＤの両方を入力する。互換部品を採用する場合に改造作業およびそのための費用が発生する場合は、その見込費用についても入力しても良い。需要家端末３に入力された見積条件は、ネットワーク４を通じて、仲介サーバ１の需要者インタフェース部１３２に伝達される（ステップＳ８）。
【００３６】
次に、余剰品検索手段１１３は、需要者インタフェース部１３２より受け取った部品ＩＤをもとに、余剰品データベース１２５を検索して、該当する余剰品を所有する事業者ＩＤ４０１を抽出する（ステップＳ９）。
【００３７】
次に、供給者インタフェース部１３３は、ネットワーク４を通じて、前記抽出した事業者ＩＤ４０１をもとに、該当する全ての事業者の供給者端末２に見積条件を連絡する。条件としては、製造者名、部品ＩＤ、部品型式、購入員数、部品受取までの要求納期、そして見積の回答期限等が含まれる（ステップＳ１０）。
【００３８】
供給者は、取引を希望するならば、供給者端末２を用いて、仲介サーバ１に蓄積された当該部品の製造者単価４１３、最高取引単価４１４、最安取引単価４１５、前回取引単価４１６等の取引価格履歴を入手しても良い。また、供給者端末２は、供給者が前もって余剰品についての取引価格、取引員数、納期を事前に入力しておき、仲介システムからの問合せに対しその見積回答を返信できる機能を備えていても良い。
【００３９】
次に、供給者端末２は、ネットワーク４を通じて、供給者が入力した部品ＩＤ、取引単価、取引員数、納期を仲介サーバ１の供給者インタフェース部１３３に送信する（ステップＳ１１）。
【００４０】
仲介サーバ１の取引価格決定部１３４は、供給者インタフェース部１３３が受け取った複数の見積回答について、回答期限前に受け付けられ、供給者の回答納期が需要者の要求納期を満たしており、かつ需要家の購入単価上限よりも安い見積回答を選別する。次に取引価格決定部１３４は選別された見積回答を取引価格の安いものから順に並べ替えて、最も価格の安い見積回答から、購入員数を満たすまで、順次選定する。互換部品については、改造等の見込み費用が需要者より入力されている場合には、見積回答の単価にこの見込み費用を合算して比較する。この処理により、需要家が望む納期、購入単価、員数を満たし、かつ複数の候補がある場合には最も安い見積回答から順に選定することができる（ステップＳ１２）。
【００４１】
需要者インタフェース部１３２は、前記の手順により選定された見積回答の部品ＩＤ、部品型式、取引単価、取引員数、納期をネットワーク４を通じ需要者端末３に送信する（ステップＳ１３）。
【００４２】
需要家端末３は受信した見積結果を需要者に提示連絡し、この見積結果に基づき予備品の取引を確定するかどうかを確認する。取引が確定した場合には、需要者端末３は、ネットワーク４を経由して、仲介サーバ１の需要者インタフェース部１３２に取引確定を送信する（ステップＳ１４）。
【００４３】
次に、供給者インタフェース部１３３は、ネットワーク４を通じて、確定した取引の供給者の供給者端末２に対し、取引確定の連絡を送信する（ステップＳ１５）。
【００４４】
最後に、取引の記録管理部１３５は、確定した取引の結果を取引価格データベース１２６に登録する（ステップＳ１６）。
【００４５】
以上の処理により、余剰となっている部品を所有する事業者と、不足している部品を求める事業者間での部品取引を、問合せのあった部品およびその互換品の範囲から提供することができる。また、取引成立の場合に、定額、あるいは取引額の一定比率の手数料を取引に関連するいずれか、あるいは両方の事業者に課金することにより、このサービスの提供に対して相応の課金が可能などジネス形態を提供することができる。
【００４６】
以上説明したように、本実施形態によれば、不足した予備品の購入を希望する事業者（需要者）は、互換性のある部品を含めて、複数の余剰品の売却を希望する事業者（供給者）からの売却希望価格を入手することにより、取引相手を選定することができ、また、供給者にとっても余剰品を売却する機会を得ることができる。また、設備あるいは装置の運用が長期に渡り、本来の部品と同一型式であるべき予備品が生産中止等になった場合においても、部品の流通を確保して取引の継続を図ることができる。
【図面の簡単な説明】
【００４７】
【図１】本実施形態にかかる予備品の売買仲介システムを説明する図である。
【図２】仲介サーバ１の内部構成を説明する図である。
【図３】仲介サーバ１内のデータベース部１２を構成する各データベースのデータ形式を示す図である。
【図４】本実施形態にかかる売買仲介システムの処理を説明する図である。
【符号の説明】
【００４８】
１  仲介システム
２  供給者端末
３  需要者端末
４  ネットワーク
１１  検索抽出プログラム部
１１１  部品仕様検索手段
１１２  互換部品検索手段
１１３  余剰品検索手段
１１４  取引価格履歴検索手段
１２  データベース部
１２１  事業者名データベース
１２２  製造者名データベース
１２３  部品名データベース
１２４  互換品データベース
１２５  余剰品データベース
１２６  取引価格データベース
１３  取引処理部
１３１  情報登録部
１３２  需要者インタフェース部
１３３  供給者インタフェース部
１３４  取引価格決定部
１３５  記録管理部
【図１】
2008181398.tif 000003
【図２】
2008181398.tif 000004
【図３】
2008181398.tif 000005
【図４】
2008181398.tif 000006